(57)【要約】【課題】形成し易くて、簡易な構成で異なる２以上の光の所望な配光も実現し易いフィルタ及び照明装置を提供すること。【解決手段】フィルタ４が、凹部４３を有する第１フィルタ部４１と、第１フィルタ部４１と異なる材料で構成され、第１フィルタ部４１の凹部４３に収容される収容部を有して第１フィルタ部に対して着脱可能である第２フィルタ部４２と、を備えるようにする。図３に示す例では、第２フィルタ部４２の収容部は、第２フィルタ部４２の全体であるが、第２フィルタ部の収容部は、第２フィルタ部の一部であってもよい。【選択図】図３
2019032932.tif 000002
【特許請求の範囲】
【請求項１】
凹部及び貫通孔のうちの少なくとも一方を有する第１フィルタ部と、
前記第１フィルタ部と異なる材料で構成され、前記第１フィルタ部の前記凹部又は前記貫通孔に収容される収容部を有して前記第１フィルタ部に対して着脱可能である第２フィルタ部と、
を備える、フィルタ。
【請求項２】
前記第１フィルタ部と前記第２フィルタ部が、同一の色素を含有し、
前記第１フィルタ部の前記色素の含有比率と前記第２フィルタ部の前記色素の含有比率が異なる、請求項１に記載のフィルタ。
【請求項３】
前記第１フィルタ部が環状である、請求項１又は２に記載のフィルタ。
【請求項４】
前記第２フィルタ部は、中心軸を有し、
前記第２フィルタ部は、前記第１フィルタ部の前記貫通孔に収容され、
前記第２フィルタ部の軸方向の一方側の表側面と、前記第２フィルタ部の前記軸方向の他方側の裏側面の夫々は、円形状を有し、
前記表側面の直径は、前記裏側面の直径と異なる、請求項３に記載のフィルタ。
【請求項５】
前記第１フィルタ部の前記貫通孔は、表側に行くにしたがって縮径する円錐台状内周面を有し、
前記第２フィルタ部は、前記貫通孔の少なくとも一部分の円錐台状内周面部に略一致する円錐台状外周面、及び表側に行くにしたがって縮径する円錐台状内周面を有する貫通孔を有し、
前記第２フィルタ部の前記貫通孔の形状に略一致する形状を有する第３フィルタ部を更に備え、
前記第３フィルタ部、又は前記第２フィルタ部及び前記第３フィルタ部の両方が着脱可能である、フィルタ。
【請求項６】
前記第１フィルタ部の前記貫通孔には、小径円筒孔部と、その小径円筒孔部よりも大径であって、前記小径円筒孔部よりも裏側に位置する大径円筒孔部と、が含まれ、
前記第２フィルタ部が、前記第１フィルタ部の前記貫通孔の形状に略一致する形状を有する、請求項４に記載のフィルタ。
【請求項７】
請求項１乃至６のいずれか１つに記載のフィルタを備える、照明装置。
【請求項８】
光源、及びレンズを備え、
前記光源からの光の少なくとも一部が、前記レンズを経由して前記フィルタに入射する、請求項７に記載の照明装置。
【発明の詳細な説明】
【技術分野】
【０００１】
本開示は、フィルタ、及びフィルタを備えた照明装置に関する。
【背景技術】
【０００２】
従来、照明装置としては、特許文献１に記載されているものがある。この照明装置は、複数のＬＥＤ、ＬＥＤ毎に対応する投影レンズを一体的に保持する投影手段、及び投影手段の投影面側に配置される光学フィルタを備える。光学フィルタは、投影手段の投影面と略同一形状の板状体であり、フィルタ領域が板状体の表面に離散的に形成されている。この照明装置は、フィルタ領域を調整することで、照射光の色、光量、及び拡散状態を調整している。
【先行技術文献】
【特許文献】
【０００３】
【特許文献１】特開２０１２−３３３３４号公報
【発明の概要】
【発明が解決しようとする課題】
【０００４】
上記照明装置では、フィルタ領域を板状体の表面に離散的に形成しなければならず、光学フィルタの形成に工数を要する。また、照明装置の仕様によっては、波長分布の異なる２以上の光を所望の方向に配光する場合もあり、これを簡易な構成で実現できれば好ましい。
【０００５】
そこで、本開示の目的は、形成し易くて、簡易な構成で異なる２以上の光の所望な配光も実現し易いフィルタ及び照明装置を提供することにある。
【課題を解決するための手段】
【０００６】
本開示に係るフィルタは、凹部及び貫通孔のうちの少なくとも一方を有する第１フィルタ部と、第１フィルタ部と異なる材料で構成され、第１フィルタ部の凹部又は貫通孔に収容される収容部を有して第１フィルタ部に対して着脱可能である第２フィルタ部と、を備える。
【発明の効果】
【０００７】
本開示に係るフィルタ及び照明装置によれば、形成し易くて、簡易な構成で異なる２以上の光の所望な配光も実現し易い。
【図面の簡単な説明】
【０００８】
【図１】本開示の第１実施形態に係る照明装置の概略構成図である。
【図２】上記照明装置のフィルタの構造を説明するための図であり、（ａ）は、第１フィルタ部の斜視図であり、（ｂ）は、第２フィルタ部の斜視図である。
【図３】統合状態の上記フィルタの斜視図である。
【図４】（ａ）は、上記統合状態のフィルタの平面図であり、（ｂ）は、上記統合状態のフィルタの側面図である。
【図５】上記照明装置からの光で照射された光の照射面を表す模式図である。
【図６】上記照明装置の好ましい用途を説明するための図である。
【図７】上記照明装置の他の好ましい用途を説明するための図である。
【図８】図７で示す用途において、食卓を囲む１人の人物が、カメラやスマートフォンを用いて他の人物及び食事を写した際の画像を表す図である。
【図９】第２実施形態のフィルタの構造を説明するための図であり、（ａ）は、第１フィルタ部の斜視図である。また、（ｂ）は、第２フィルタ部の斜視図であり、（ｃ）は、第３フィルタ部の斜視図である。
【図１０】第１フィルタ部、第２フィルタ部、及び第３フィルタ部を統合した状態の第２実施形態のフィルタの斜視図である。
【図１１】（ａ）は、統合状態の第２実施形態のフィルタの平面図であり、（ｂ）は、統合状態の第２実施形態のフィルタの側面図である。
【図１２】第３実施形態のフィルタの構造を説明するための図であり、（ａ）は、第１フィルタ部の斜視図であり、（ｂ）は、第２フィルタ部の斜視図である。
【図１３】統合状態の第３実施形態のフィルタの斜視図である。
【図１４】（ａ）は、統合状態の第３実施形態のフィルタの平面図であり、（ｂ）は、統合状態の第３実施形態のフィルタの側面図である。
【図１５】第４実施形態のフィルタの構造を説明するための図であり、（ａ）は、第１フィルタ部の斜視図であり、（ｂ）は、第２フィルタ部の斜視図である。
【図１６】統合状態の第４実施形態のフィルタの斜視図である。
【図１７】（ａ）は、統合状態の第４実施形態のフィルタの平面図であり、（ｂ）は、統合状態の第４実施形態のフィルタの側面図である。
【図１８】（ａ）は、変形例の統合状態におけるフィルタの平面図であり、（ｂ）は、他の変形例の統合状態におけるフィルタの平面図であり、（ｃ）は、更なる変形例の統合状態におけるフィルタの平面図である。
【発明を実施するための形態】
【０００９】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の説明において、表側又は下側と言及した場合、それは光の照射側を示し、裏側又は上側と言及した場合、それは光の照射側とは反対側を示す。また、本明細書では、円錐台状内周面は、円錐台の内周面であり、円錐台状外周面は、円錐台の外周面である。
【００１０】
（第１実施形態）
図１は、本開示の第１実施形態に係る照明装置１の概要を示す模式図である。図１に示すように、照明装置１は、略筒状に形成された筐体６を備え、更に、筐体６内に、ＬＥＤ基板２、レンズ３、フィルタ４、及び反射体５を備える。ＬＥＤ基板２は、例えば、筐体６に対して静止している図示しない部位に固定される。また、ＬＥＤ基板２は、光源１０と、基板１１を含み、光源１０は、例えば、離散配置された複数のＬＥＤ（Light Emitting Diode）で構成され、各ＬＥＤは、基板１１に実装される。照明装置１は、更に、筐体６外に図示しない電源部を備える。電源部は、入力される交流電力を内蔵の電源基板の変換回路で直流電力に変換する。電源部からＬＥＤ基板２に供給される直流電力で、複数のＬＥＤが点灯し、光が光源１０から照射される。
【００１１】
反射体５は、下側に末広がりの円錐台状内周面１４を有し、例えば、光源１０を覆うように基板１１に取り付けられる。反射体５の円錐台状内周面１４の中心軸が、光源１０から照射される光の光軸に一致すると好ましい。円錐台状内周面１４の表層には、蒸着、メッキ、スパッタリング等により金属層が設けられてもよく、白色顔料を含有する白色の塗膜が設けられてもよい。又は、円錐台状内周面１４は、研磨等により鏡面仕上げされてもよい。
【００１２】
レンズ３は、反射体５に対して間隔をおいた状態で反射体５の下側に配設される。レンズ３は、基板１１に略平行な状態で筐体６の内側に取り付けられる。反射体５の円錐台状内周面１４は、光源１０から照射された光の一部を反射し、光源１０から照射された光がレンズ３の上側面に効率良く入射するために設けられる。
【００１３】
フィルタ４は、レンズ３に対して間隔をおいた状態でレンズ３の下側に配設される。フィルタ４は、略円板状の形状を有し、基板１１に略平行な状態で筐体６の内側に取り付けられる。レンズ３は、上側面に入射した光を集光してフィルタ４の上側面に導く。フィルタ４を通過した光は、例えば、スポットライト状に集光され、局所領域を照らす。なお、筐体６の下方部は、例えばシリコンゴム等の軟質弾性体で構成されてもよい。軟質弾性体は、光の透過性を有し、光を拡散させる。このため、筐体６の下方部を、軟質弾性体で構成すると、照明装置１及び照明装置１周辺を明るくすることができる。
【００１４】
図２は、フィルタ４の構造を説明するための図であり、図２（ａ）は、第１フィルタ部４１の斜視図であり、図２（ｂ）は、第２フィルタ部４２の斜視図である。フィルタ４は、第１フィルタ部４１と、第２フィルタ部４２で構成される。第１フィルタ部４１と、第２フィルタ部４２は、互いに異なる材料で形成される。詳しくは、第１フィルタ部４１と、第２フィルタ部４２は、同一の色素を含有し、第１フィルタ部４１の当該色素の含有比率は、第２フィルタ部４２の当該色素の含有比率と異なる。
【００１５】
第１フィルタ部４１と、第２フィルタ部４２は、着色剤と、ナチュラルペレット（色材を混ぜる前の粒子状の形をしたプラスチック）を混ぜ合わせて成形することで形成される。上記着色剤の種類としては、「マスターバッチ」「着色ペレット・着色コンパウンド」「ドライカラー」「ペーストカラー・リキッドカラー」等がある。
【００１６】
マスターバッチは、ペレット（粒子）状の着色剤であり、中に高濃度の顔料が練り込まれており、ナチュラルペレットと混ぜる量を調整することで、容易に色の濃淡を変えることができる。マスターバッチは、分散性に優れ、均一で美しい発色を実現できるほか、飛散や機材汚染の心配がなく、取り扱いも容易である。また、マスターバッチは、着色ペレットに比べ、コストパフォーマンスに優れる。
【００１７】
着色ペレット・着色コンパウンドは、ペレット状の着色剤である。着色ペレット・着色コンパウンドは、マスターバッチと異なり、最終製品と同じ濃度（色味）に設定され、ナチュラルペレットと混ぜ合わせる必要がない。着色ペレット・着色コンパウンドは、配合の手間がなく、安定して目的の色を出し易い。
【００１８】
ドライカラーは、粉末状の着色剤である。ドライカラーは、顔料と金属石鹸などを混ぜ合わせてつくられる。ドライカラーは、製造にほとんど手間がかからないため、最も安価な着色剤である。
【００１９】
ペーストカラー・リキッドカラーは、液体状の着色剤である。ペーストカラーとリキッドカラーとでは粘度が異なる。ペーストカラーは、主に、ベース樹脂が塩化ビニルなど液状の場合に用いられ、リキッドカラーは、半透明など製品に薄く色を着けたいときに使われると好ましい。
【００２０】
また、着色剤と混ぜ合わせるプラスチックには、熱可塑性（熱で溶かして成形する）プラスチックが含まれ、熱可塑性プラスチックは、「結晶性」と「非結晶性」の２つに分類できる。結晶性プラスチックには、ポリエチレン（PE）や、ポリエチレンテレフタレート（PET）が含まれる。また、フィルタの成形方法には、圧縮成形や射出成形、カレンダー成形、押出成形、ブロー成形、真空成形等を用いることができる。射出成形を用いる場合、金型を用いて、フィルタを簡単安価に製造できる。
【００２１】
図２（ａ）に示すように、第１フィルタ部４１は、円板状の凹部４３を有する円板部材で構成され、凹部４３は、裏側面に開口する。第１フィルタ部４１の中心軸は、凹部４３の中心軸に一致する。図２（ｂ）に示すように、第２フィルタ部４２は、凹部４３の形状に略一致する円板形状を有し、凹部４３内に嵌入可能になっている。
【００２２】
図３は、第２フィルタ部４２を第１フィルタ部４１の凹部４３内に隙間なく収容し、第１フィルタ部４１と第２フィルタ部４２を統合した状態のフィルタ４の斜視図である。また、図４（ａ）は、統合状態のフィルタ４の平面図であり、図４（ｂ）は、統合状態のフィルタ４の側面図である。
【００２３】
図３に示すように、統合状態では、第２フィルタ４２の全てが、第１フィルタ部４１の凹部４３に収容される。統合状態で、第１フィルタ部４１の裏側面４１ａと、第２フィルタ部４２の裏側面４２ａとは、同一平面上に位置し、第１フィルタ部４１と第２フィルタ部４２は、互いに相俟って円板状の部材を構成する。第１実施形態では、第２フィルタ４２の全てが、第１フィルタ４１の凹部４３に収容される収容部となっている。
【００２４】
図４（ａ）に示すように、統合状態のフィルタ４の上側面は、同心円で区切られた２つの第１及び第２領域４５,４６を有する。第１領域４５は、第１フィルタ部４１の領域であり、大径円４７とそれより小径の小径円４８との間に設けられる。また、第２領域４６は、第２フィルタ部４２の領域であり、小径円４８で囲まれた領域で構成される。
【００２５】
図４（ｂ）に示すように、第１フィルタ部４１は、統合状態のフィルタ４において、厚さ方向（軸方向）から見たとき第２フィルタ部４２に重なる重なり領域４１ｂを有する。重なり領域４１ｂは、第１フィルタ部４１における凹部４３の底部を構成する。図４（ａ）及び図４（ｂ）を参照して、統合状態のフィルタ４の上側面の第１領域４５に入射した光は、第１フィルタ部４１のみを通過して、下側に出射される。他方、統合状態のフィルタ４の上側面の第２領域４６に入射した光は、第２フィルタ部４２及び第１フィルタ部４１を順に通過した後、下側に出射される。その結果、第１領域４５に入射した光と、第２領域４６に入射した光は、互いに異なる光となって下方に照射される。
【００２６】
図５は、照明装置１からの光で照射された光の照射面を表す模式図である。第１実施形態では、フィルタ４の形状に伴い、照射面に、中心が同一の２つの円、詳しくは、大径円８と、大径円８よりも径が小さい小径円９が現れる。そして、大径円８と小径円９の間に位置する第１領域１２と、小径円９に囲まれた第２領域１３が、互いに異なる色の光で照らされる。第１領域１２を照らす光は、第１フィルタ部４１のみを通過した光であり、第２領域１３を照らす光は、第２フィルタ部４２及び第１フィルタ部４１を通過した光である。
【００２７】
図６及び図７は、照明装置１の好ましい用途を説明するための図であり、図６は、照明装置１を結婚式においてスポットライトとして用いる場合を説明する図である。また、図７は、照明装置１を家庭の食卓を照らす用途で用いる場合を説明する図である。
【００２８】
図６を参照して、照明装置１を結婚式においてスポットライトとして用いる場合には、例えば、照射光の中心部を構成して新郎新婦を照らす光５１を美光色の光で構成する。また、照射光の外側部分を構成して雛壇を飾る花束等の植物を照らす光５２を彩光色の光で構成する。すなわち、光源１０から出射され、第２フィルタ部４２及び第１フィルタ部４１を通過した光５１が、美光色の光となるように、ＬＥＤと第１及び第２フィルタ部４１,４２を調整する。また、光源１０から出射され、第１フィルタ部４１のみを通過した光５２が、彩光色の光となるように、ＬＥＤと、第１フィルタ部４１を調整する。
【００２９】
ここで、美光色とは、一般的な白色ＬＥＤの光との比較で、５７０〜５８０ｎｍの波長の光成分の分光パワーを低下させた光であり、ＰＳが９５程度に高い光であり、Ｒａが９５程度に高い光であり、ＦＣＩが、１１５程度に高い光である。なお、ＰＳとは、Preference Index of Skin Colorの略であり、「日本人女性がイメージするきれいな肌の色」をパナソニック株式会社が、調査し、定量化したものである（特開平８−５５６１０号公報）。ＰＳは、実際の肌の色が、その理想的な肌の色にどの程度近いのかを数値化し、数値が高いほど理想の肌の色に近いことを表す。
【００３０】
また、Ｒａは、平均演色評価数を表す。Ｒａは、色の見え方の忠実性を表す代表的な指標で、基準光源に比べ、どの程度忠実に色を再現しているかを定量化したものである（ＪＩＳ（Ｚ・８７２６：１９９０））。Ｒａが１００に近いほど、色が自然に見えることになる。また、ＦＣＩは、Feeling of Contrast Indexの略であり、色彩が鮮やかに目立って見える効果をパナソニック株式会社が、調査し、定量化したものである（特開平９−１２０７９７号公報）。
【００３１】
また、彩光色の光とは、波長５８０ｎｍ前後の光の成分を調整することで黄みを抑え、彩度を上げた光であり、赤色成分のピーク波長が長波長側にシフトされ、赤みの強い色をより鮮やかに表現できる光である。彩光色の光は、色鮮やかな野菜のみずみずしさや、新鮮な魚のいきいきとした艶を引き立てることができ、魅力的な商品演出を実現できる。また、彩光色の光は、食材の赤みをより際立たせることができ、精肉や刺身の赤身は赤を強調できる一方、白身は白さを強調することができ、新鮮で美味しそうな演出を実現できる。また、彩光色の光は、温かみのある光であり、パン・惣菜などのできたて感・揚げたて感を演出することができる。
【００３２】
図６で示す例では、新婦を、美光色で照らすことができ、雛壇の植物を彩光色で照らすことができる。よって、新婦をより美しく演出することができ、雛壇の植物をより鮮やかかつ新鮮に演出できる。また、図７を参照して、照明装置１を家庭の食卓を照らす用途で用いる場合には、例えば、光源１０から出射され、第２フィルタ部４２及び第１フィルタ部４１を通過した光６１が、演色性が高い光となるように、ＬＥＤと第１及び第２フィルタ部４１,４２を調整する。また、光源１０から出射され、第１フィルタ部４１のみを通過した光６２が、美光色の光となるように、ＬＥＤと、第１フィルタ部４１を調整する。このようにすれば、食事をおいしそうに演出でき、食卓を囲む人物を美しく演出できる。したがって、図８に示す、食卓を囲む１人の人物が、カメラやスマートフォンを用いて他の人物及び食事を写した際の画像で、人物９１は美しく写すことができ、食事９２はおいしそうに写すことができる。
【００３３】
第１実施形態によれば、フィルタ４が、凹部４３を有する第１フィルタ部４１を備える。また、フィルタ４が、第１フィルタ部４１と異なる材料で構成され、第１フィルタ部４１の凹部４３に収容される収容部を有して第１フィルタ部４１に対して着脱可能である第２フィルタ部４２を備える。
【００３４】
したがって、フィルタ４を第１及び第２フィルタ部４１,４２のみで構成でき、第１及び第２フィルタ部４１,４２の夫々を、射出成形等で簡単に形成できるため、フィルタ４をフィルタ領域を板状体の表面に離散的に配置する場合との比較で容易に形成できる。
【００３５】
また、第１フィルタ部４１に設ける凹部４３又は貫通孔を、仕様毎に適宜調整し、第１フィルタ部４１に設ける凹部４３又は貫通孔に収容される第２フィルタ部４２の収容部も、仕様毎に適宜調整し易い。よって、簡易な構成で、異なる２以上の光の所望な配光も実現し易い。
【００３６】
また、第１フィルタ部４１と第２フィルタ部４２が、同一の色素を含有してもよく、第１フィルタ部４１の色素の含有比率が、第２フィルタ部４２の色素の含有比率と異なってもよい。
【００３７】
上記構成によれば、第１フィルタ部４１を通過した第１光の分光スペクトルと、第２フィルタ部４２を通過した第２光との分光スペクトルの差を小さくできる。したがって、第１光と第２光との境界が目立たなくなり、違和感のない光を生成できる。
【００３８】
また、照明装置１は、フィルタ４を備える。また、照明装置１は、光源１０、及びレンズ３を備えてもよい。そして、光源１０からの光の少なくとも一部が、レンズ３を経由してフィルタ４に入射する構成でもよい。この構成によれば、光源１０からの光をレンズ３で効率的にフィルタ４の上側面に導くことができる。よって、光度が高い光を照射できる。
【００３９】
更には、第１フィルタ部４１が凹部４３を有し、凹部４３に底部が存在する。したがって、第１フィルタ部４１の凹部４３に第２フィルタ部４２を収容した状態で、第２フィルタ部４２が第１フィルタ部４１から下側に落下することを防止できる。
【００４０】
なお、統合状態で、第１フィルタ部４１の上側面（裏側面４１ａ）と、第２フィルタ部４２の上側面（裏側面４２ａ）とが、同一平面上に位置する場合について説明した。しかし、統合状態で、第１フィルタ部の上側面と、第２フィルタ部の上側面とは、同一の平面上に存在しなくてもよく、互いに違う高さに位置してもよい。
【００４１】
また、フィルタ４を、第１フィルタ部４１と第２フィルタ部４２が統合している状態で使用する場合について説明した。しかし、フィルタ４は、第１フィルタ部４１から第２フィルタ部４２を取り外した状態で使用してもよく、フィルタ４を、第１フィルタ部４１のみで構成して、第１フィルタ部４１のみで使用してもよい。
【００４２】
（第２実施形態）
図９は、第２実施形態のフィルタ１０４の構造を説明するための図であり、図９（ａ）は、第１フィルタ部１４１の斜視図である。また、図９（ｂ）は、第２フィルタ部１４２の斜視図であり、図９（ｃ）は、第３フィルタ部１４３の斜視図である。第１フィルタ部１４１、第２フィルタ部１４２、及び第３フィルタ部１４３は、互いに異なる材料で形成される。また、第２実施形態では、第１実施形態と同様の作用効果及び変形例については説明を省略する。
【００４３】
図９（ａ）に示すように、第１フィルタ部１４１は、環状であり、中央に貫通孔１４５を有する円板形状を有する。また、貫通孔１４５は、下側に行くにしたがって先細りとなる円錐台状内周面１５０を有する。第１フィルタ部１４１の上側面１５１と下側面１５２は、平面で構成され、上側面１５１と下側面１５２は、互いに平行になっている。また、貫通孔１４５の中心軸は、上側面１５１の法線と平行になっている。
【００４４】
図９（ｂ）に示すように、第２フィルタ部１４２は、中央に貫通孔１４６を有する環状部材であり、貫通孔１４６は、下側に行くにしたがって先細りとなる円錐台状内周面１５３を有する。また、第２フィルタ部１４２の外周面は、下側に行くにしたがって先細りとなる円錐台状外周面１４７となっており、円錐台状外周面１４７は、第１フィルタ部１４１の円錐台状内周面１５０に略一致する形状を有する。第２フィルタ部１４２の上側面１５４と下側面１５５は、平面で構成され、上側面１５４と下側面１５５は、互いに平行になっている。貫通孔１４６の中心軸は、上側面１５１の法線と平行になっている。
【００４５】
図９（ｃ）に示すように、第３フィルタ部１４３は、第２フィルタ部１４２の貫通孔１４６の形状に略一致する形状を有する。第３フィルタ部１４３の外周面は、下側に行くにしたがって先細りとなる円錐台状外周面１５７となっている。第３フィルタ部１４３の上側面１５８と下側面１５９は、平面で構成され、上側面１５８と下側面１５９は、互いに平行になっている。円錐台状外周面１５７の中心軸は、上側面１５８の法線と平行になっている。
【００４６】
図１０は、第１フィルタ部１４１、第２フィルタ部１４２、及び第３フィルタ部１４３を統合した状態のフィルタ１０４の斜視図である。また、図１１（ａ）は、統合状態のフィルタ１０４の平面図（上面図）であり、図１１（ｂ）は、統合状態のフィルタ１０４の側面図である。なお、図１１（ａ）において、点線１８０は、第３フィルタ部１４３の下側面の縁を表す。図１１（ｂ）に示すように、第１フィルタ部１４１、第２フィルタ部１４２、及び第３フィルタ部１４３は、同じ高さを有する。また、図１０及び図１１（ｂ）に示すように、統合状態のフィルタ１０４は、円板形状を有し、統合状態で、第１フィルタ部１４１の上側面１５１、第２フィルタ部１４２の上側面１５４、及び第３フィルタ部１４３の上側面１５８は、略同一平面上に位置する。また、統合状態で、第１フィルタ部１４１の下側面１５２、第２フィルタ部１４２の下側面１５５、及び第３フィルタ部１４３の下側面１５９も、略同一平面上に位置する。
【００４７】
以上、第２実施形態のように、第１フィルタ部１４１が環状であってもよい。
【００４８】
上記構成によれば、仕様に基づいて、照明装置から照射される光のうちで中央側を照らす光と、周囲を照らす光を、適切かつ容易に異ならせることができる。
【００４９】
また、第２フィルタ部１４２は、中心軸を有してもよい。また、第２フィルタ部１４２は、第１フィルタ部１４１の貫通孔１４５に収容されてもよい。また、第２フィルタ部１４２の厚さ方向（軸方向）の一方側の表側面（下側面１５５）と、第２フィルタ部１４２の厚さ方向の他方側の裏側面（上側面１５４）の夫々が、円形状を有してもよい。そして、下側面１５５の直径が、上側面１５４の直径と異なってもよい。
【００５０】
上記構成によれば、第１フィルタ部１４１の貫通孔１４５に収容される第２フィルタ部１４２の下側面１５５の直径を、上側面１５４の直径よりも小さくできる。したがって、第１フィルタ部１４１に、底部が存在する凹部でなくて貫通孔１４５を形成しても、第２フィルタ部１４２が第１フィルタ部１４１から落下することがない。よって、第１実施形態と異なり、各フィルタ部１４１,１４２,１４３のみを通過する光を生成でき、２以上の所望の光（第２実施形態では、３つの所望の光）を、容易に生成し易くなる。
【００５１】
また、第１フィルタ部１４１の貫通孔１４５は、表側に行くにしたがって縮径する円錐台状内周面１５０を有してもよい。また、第２フィルタ部１４２は、貫通孔１４５の少なくとも一部分の円錐台状内周面部に略一致する円錐台状外周面１４７、及び表側に行くにしたがって縮径する円錐台状内周面１５３を有する貫通孔１４６を有してもよい。また、第２フィルタ部１４２の貫通孔１４６の形状に略一致する形状を有する第３フィルタ部１４３を更に備えてもよい。また、第３フィルタ部１４３、又は第２フィルタ部１４２及び第３フィルタ部１４３の両方が着脱可能であってもよい。
【００５２】
上記構成によれば、照射光を、互いに異なる３以上の光で構成できる。また、第２及び第３フィルタ部１４２,１４３が第１フィルタ部１４１に対して落下しない構造を簡単安価に形成できる。また、第２フィルタ部１４２を第１フィルタ部１４１に滑らかな面で係止でき、第３フィルタ部１４３も第２フィルタ部１４２に滑らかな面で係止できる。よって、照射光において異なるフィルタ部１４１,１４２,１４３を通過した光の境界を滑らかな閉曲線で構成し易くなり、照射光で対象物を美しく照らすことができる。
【００５３】
なお、第１フィルタ部、第２フィルタ部、及び第３フィルタ部には、高さが異なる２以上のフィルタ部が含まれてもよい。また、円錐台状面を用いて、３つのフィルタ部１４１,１４２,１４３を統合する場合について説明したが、円錐台状面を用いて、２つのフィルタ部を統合してもよく、又は、円錐台状面を用いて、４以上のフィルタ部を統合してもよい。
【００５４】
また、フィルタ１０４は、第１フィルタ部１４１から第３フィルタ部１４３のみを取り外した状態で使用されてもよく、第１フィルタ部１４１から第２及び第３フィルタ部１４２,１４３の両方を取り外した状態で使用されてもよい。これらの使用では、第１フィルタ部１４１の中心側に貫通孔が生じて、照明装置から出射された光の一部がフィルタ部を通過せずに下側に照射されることになる。この場合の使用例としては、例えば、美光色の光を出射するＬＥＤを用い、フィルタ部を通過しなかった美光色の光をそのまま下方に照射する一方、第３フィルタ部を通過した周囲の光を彩光色の光に変化させて下方に照射する場合等が考えられる。
【００５５】
（第３実施形態）
図１２は、第３実施形態のフィルタ２０４の構造を説明するための図であり、図１２（ａ）は、第１フィルタ部２４１の斜視図であり、図１２（ｂ）は、第２フィルタ部２４２の斜視図である。第１フィルタ部２４１、及び第２フィルタ部２４２は、互いに異なる材料で形成される。また、第３実施形態では、第１及び第２実施形態と同様の作用効果及び変形例については、説明を省略する。
【００５６】
図１２（ａ）に示すように、第１フィルタ部２４１は、中央に貫通孔２４５を有する円板状の形状を有し、貫通孔２４５は、大径円筒孔部２４６と、大径円筒孔部２４６よりも小径の小径円筒孔部２４７を有する。大径円筒孔部２４６の中心軸は、小径円筒孔部２４７の中心軸に一致する。第１フィルタ部２４１の上側面２５１と下側面２５２は、平面で構成され、上側面２５１と、下側面２５２は、互いに平行になっている。貫通孔２４５の中心軸は、上側面２５１の法線と平行になっている。
【００５７】
また、図１２（ｂ）に示すように、第２フィルタ部２４２は、第１フィルタ部２４１の貫通孔２４５の形状に略一致する形状を有する。第２フィルタ部２４２は、大径円板部２６０と、大径円板部２６０よりも小径の小径円板部２６１を有する。大径円板部２６０の中心軸は、小径円板部２６１の中心軸に一致する。第２フィルタ部２４２の上側面２５８と下側面２５９は、平面で構成され、上側面２５８と下側面２５９は、互いに平行になっている。大径円板部２６０の中心軸は、上側面２５８の法線と平行になっている。また、大径円板部２６０と小径円板部２６１を連結する段部２６６の下側面２９０も、上側面２５８と平行になっている。
【００５８】
図１３は、第１フィルタ部２４１、及び第２フィルタ部２４２を統合した状態のフィルタ２０４の斜視図である。また、図１４（ａ）は、統合状態のフィルタ２０４の平面図（上面図）であり、図１４（ｂ）は、統合状態のフィルタ２０４の側面図である。なお、図１４（ａ）において、点線２８０は、第２フィルタ部２４２の下側面の縁を表す。図１４（ｂ）に示すように、第１フィルタ部２４１、及び第２フィルタ部２４２は、同じ高さを有する。また、図１３及び図１４（ｂ）に示すように、統合状態のフィルタ２０４は、円板形状を有し、統合状態で、第１フィルタ部２４１の上側面２５１、及び第２フィルタ部２４２の上側面２５８は、略同一平面上に位置する。また、統合状態で、第１フィルタ部２４１の下側面２５２、及び第２フィルタ部２４２の下側面２５９も、略同一平面上に位置する。なお、統合状態で、第１フィルタ部の上側面と、第２フィルタ部の上側面とは、同じ高さでなくてもよい。また、統合状態で、第１フィルタ部の下側面と、第２フィルタ部の下側面も、同じ高さでなくてもよい。
【００５９】
以上、第３実施形態にように、第１フィルタ部２４１の貫通孔２４５には、小径円筒孔部２４７と、小径円筒孔部２４７よりも大径であって、小径円筒孔部２４７よりも裏側に位置する大径円筒孔部２４６と、が含まれてもよい。また、第２フィルタ部２４２が、第１フィルタ部２４１の貫通孔２４５の形状に略一致する形状を有してもよい。
【００６０】
上記構成によれば、第２フィルタ部２４２の大径円板部２６０が、第１フィルタ部２４１の貫通孔２４５の小径円筒孔部２４７を通過できない構造になっている。したがって、第３実施形態も第２実施形態と同様に、第２フィルタ部２４２が第１フィルタ部２４１から落下することを防止できる。
【００６１】
（第４実施形態）
図１５は、第４実施形態のフィルタ３０４の構造を説明するための図であり、図１５（ａ）は、第１フィルタ部３４１の斜視図であり、図１５（ｂ）は、第２フィルタ部３４２の斜視図である。第１フィルタ部３４１、及び第２フィルタ部３４２は、互いに異なる材料で形成される。また、第３実施形態では、第１乃至第３実施形態と同様の作用効果及び変形例については、説明を省略する。
【００６２】
図１５（ａ）に示すように、第１フィルタ部３４１は、円板状の部材を上側面が半円形状になるように垂直に二等分したときに形成される部材における厚さ方向に延在する平面部の幅方向中央に、厚さ方向に延在する半円柱状の凹部３５０を設けた構造を有する。また、図１５（ａ）に示すように、第２フィルタ部３４２は、上記垂直に二等分したときに形成される部材における厚さ方向に延在する平面部の幅方向中央に、厚さ方向に延在する畝部３５１を設けた構造を有する。
【００６３】
図１６は、第１フィルタ部３４１、及び第２フィルタ部３４２を統合した状態のフィルタ３０４の斜視図である。また、図１７（ａ）は、統合状態のフィルタ３０４の平面図（上面図）であり、図１７（ｂ）は、統合状態のフィルタ３０４の側面図である。図１６、図１７（ａ）、及び図１７（ｂ）に示すように、第２フィルタ部３４２の畝部３５１の形状は、第１フィルタ部３４１の凹部３５０の形状に一致し、統合状態のフィルタ３０４は、円板形状を有する。なお、統合状態のフィルタは、円板形状を有さなくてもよい。そして、統合状態で、第１フィルタ部の上側面と、第２フィルタ部の上側面とは、同じ高さでなくてもよい。また、統合状態で、第１フィルタ部の下側面と、第２フィルタ部の下側面も、同じ高さでなくてもよい。
【００６４】
第４実施形態のように、全ての第１及び第２フィルタ部３４１,３４２が環状構造を有さなくてもよい。また、第４実施形態では、第２フィルタ部３４２の収容部は、半円柱状の畝部３５１であり、第２フィルタ部３４２の全体でない。なお、第４実施形態のフィルタ３０４では、第１及び第２フィルタ部３４１,３４２の夫々が、互いに統合された状態で筐体等の静止部に固定される必要がある。
【００６５】
なお、本開示は、上記第１乃至第4実施形態およびその変形例に限定されるものではなく、本願の特許請求の範囲に記載された事項およびその均等な範囲において種々の改良や変更が可能である。
【００６６】
例えば、図１８（ａ）、すなわち、変形例の統合状態におけるフィルタ４０４の平面図（上面図）に示すように、統合状態のフィルタ４０４が、円板形状を有してもよい。そして、第１フィルタ部４４１の凹部４４３が円弧状の底面を有する凹部であってもよい。また、図１８（ｂ）、すなわち、他の変形例の統合状態におけるフィルタ５０４の平面図（上面図）に示すように、統合状態のフィルタ５０４が、円板形状を有してもよい。また、図１８（ａ）及び図１８（ｂ）に示すように、平面視で三日月状の第１フィルタ部５４１の上側面における統合されたフィルタ５０４の上側面に対する含有率は、使用によって自在に調整されればよく、第１フィルタ部５４１の体積が、第２フィルタ部５４２の体積よりも小さくてもよく、その逆でもよい。また、図１８（ｃ）、すなわち、更なる変形例の統合状態におけるフィルタ６０４の平面図（上面図）に示すように、統合状態のフィルタ６０４の平面図が円でなくてもよい。
【００６７】
また、第１フィルタ部が、１つの凹部及び１つの貫通孔のうちの一方のみを有する場合について説明した。しかし、第１フィルタ部は、２以上の貫通孔を有する一方、凹部を有さなくてもよい。又は、第１フィルタ部は、２以上の凹部を有する一方、貫通孔を有さなくてもよい。又は、第１フィルタ部は、１以上の凹部と1以上の貫通孔を有してもよい。第１フィルタ部の構造は、仕様に基づいて自在に変更されればよい。
【符号の説明】
【００６８】
１  照明装置、  ３  レンズ、  ４,１０４,２０４,３０４,４０４,５０４,６０４  フィルタ、  １０  光源、  ４１,１４１,２４１,３４１,４４１,５４１  第１フィルタ部、  ４２,１４２,２４２,３４２,５４２  第２フィルタ部、  ４３,３５０,４４３  第１フィルタ部の凹部、  １４３  第３フィルタ部、  １４５,２５４  第１フィルタ部の貫通孔、  １４６  第２フィルタ部の貫通孔、  １５３  第２フィルタ部の円錐台状内周面、  １４７  第２フィルタ部の円錐台状外周面、  １５０  第１フィルタ部の円錐台状内周面、  １５４  上側面（裏側面）、  １５５  下側面（表側面）、  ３５１  畝部（収容部）。
【図１】
2019032932.tif 000003
【図２】
2019032932.tif 000004
【図３】
2019032932.tif 000005
【図４】
2019032932.tif 000006
【図５】
2019032932.tif 000007
【図６】
2019032932.tif 000008
【図７】
2019032932.tif 000009
【図８】
2019032932.tif 000010
【図９】
2019032932.tif 000011
【図１０】
2019032932.tif 000012
【図１１】
2019032932.tif 000013
【図１２】
2019032932.tif 000014
【図１３】
2019032932.tif 000015
【図１４】
2019032932.tif 000016
【図１５】
2019032932.tif 000017
【図１６】
2019032932.tif 000018
【図１７】
2019032932.tif 000019
【図１８】
2019032932.tif 000020
【手続補正書】
【提出日】平成30年6月13日(2018.6.13)
【手続補正１】
【補正対象書類名】特許請求の範囲
【補正対象項目名】全文
【補正方法】変更
【補正の内容】
【特許請求の範囲】
【請求項１】
凹部及び貫通孔のうちの少なくとも一方を有する第１フィルタ部と、
前記第１フィルタ部と異なる材料で構成され、前記第１フィルタ部の前記凹部又は前記貫通孔に収容される収容部を有して前記第１フィルタ部に対して着脱可能である第２フィルタ部と、
を備える、フィルタ。
【請求項２】
前記第１フィルタ部と前記第２フィルタ部が、同一の色素を含有し、
前記第１フィルタ部の前記色素の含有比率と前記第２フィルタ部の前記色素の含有比率が異なる、請求項１に記載のフィルタ。
【請求項３】
前記第１フィルタ部が環状である、請求項１又は２に記載のフィルタ。
【請求項４】
前記第２フィルタ部は、中心軸を有し、
前記第２フィルタ部は、前記第１フィルタ部の前記貫通孔に収容され、
前記第２フィルタ部の軸方向の一方側の表側面と、前記第２フィルタ部の前記軸方向の他方側の裏側面の夫々は、円形状を有し、
前記表側面の直径は、前記裏側面の直径と異なる、請求項３に記載のフィルタ。
【請求項５】
前記第１フィルタ部の前記貫通孔は、表側に行くにしたがって縮径する円錐台状内周面を有し、
前記第２フィルタ部は、前記貫通孔の少なくとも一部分の円錐台状内周面部に略一致する円錐台状外周面、及び表側に行くにしたがって縮径する円錐台状内周面を有する貫通孔を有し、
前記第２フィルタ部の前記貫通孔の形状に略一致する形状を有する第３フィルタ部を更に備え、
前記第３フィルタ部、又は前記第２フィルタ部及び前記第３フィルタ部の両方が着脱可能である、請求項３に記載のフィルタ。
【請求項６】
前記第１フィルタ部の前記貫通孔には、小径円筒孔部と、その小径円筒孔部よりも大径であって、前記小径円筒孔部よりも裏側に位置する大径円筒孔部と、が含まれ、
前記第２フィルタ部が、前記第１フィルタ部の前記貫通孔の形状に略一致する形状を有する、請求項４に記載のフィルタ。
【請求項７】
請求項１乃至６のいずれか１つに記載のフィルタを備える、照明装置。
【請求項８】
光源、及びレンズを備え、
前記光源からの光の少なくとも一部が、前記レンズを経由して前記フィルタに入射する、請求項７に記載の照明装置。
【手続補正２】
【補正対象書類名】明細書
【補正対象項目名】０００３
【補正方法】変更
【補正の内容】
【０００３】
【特許文献１】特開２０１２−２３４７９４号公報
【手続補正３】
【補正対象書類名】明細書
【補正対象項目名】００６２
【補正方法】変更
【補正の内容】
【００６２】
図１５（ａ）に示すように、第１フィルタ部３４１は、円板状の部材を上側面が半円形状になるように垂直に二等分したときに形成される部材における厚さ方向に延在する平面部の幅方向中央に、厚さ方向に延在する半円柱状の凹部３５０を設けた構造を有する。また、図１５（ｂ）に示すように、第２フィルタ部３４２は、上記垂直に二等分したときに形成される部材における厚さ方向に延在する平面部の幅方向中央に、厚さ方向に延在する畝部３５１を設けた構造を有する。